(57)【要約】【課題】浴室の使用開始時における不快感を回避する。【解決手段】吐水装置Ａは、浴室Ｂ内に設けられた吐水部１１〜１４と、吐水部１１〜１４に湯水を供給する給水路３６と、給水路３６内の水を排出するためのカラン用吐水部１４と、浴室Ｂの外部に配置され、浴室Ｂ内を暖房するための指示信号５３を出力する指示部５１と、指示部５１からの指示信号５３が入力される受信部５２と、受信部５２に入力された指示信号５３に基づいて、給水路３６に湯を供給しながら給水路３６内の水をカラン用吐水部１４から排出させ、給水路３６内の湯温が暖房可能な温度に到達したときにカラン用吐水部１４からの排水を停止するとともにミスト用吐水部１３からの吐出を開始させる制御部５０とを備えている。【選択図】図２
2020143464.tif 000002
【特許請求の範囲】
【請求項１】
浴室内に設けられた吐水部と、
前記吐水部に湯水を供給する給水路と、
前記給水路内の水を排出するための排水部と、
前記浴室の外部に配置され、前記浴室内を暖房するための指示信号を出力する指示部と、
前記指示部からの指示信号が入力される受信部と、
前記受信部に入力された前記指示信号に基づいて、前記給水路に湯を供給しながら前記給水路内の水を前記排水部から排出させ、前記給水路内の湯温が暖房可能な温度に到達したときに前記排水部からの排水を停止するとともに前記吐水部からの吐出を開始させる制御部とを備えていることを特徴とする吐水装置。
【請求項２】
前記制御部は、前記浴室内の暖房完了を報知する報知信号を出力するようになっていることを特徴とする請求項１記載の吐水装置。
【請求項３】
前記吐水部が、ミスト用吐水部と、前記ミスト用吐水部よりも大流量での吐水が可能な大流量吐水部とを有し、
前記大流量吐水部が前記排水部として前記給水路内の水を排出し、
前記ミスト用吐水部が湯を吐出するようになっていることを特徴とする請求項１又は請求項２記載の吐水装置。
【発明の詳細な説明】
【技術分野】
【０００１】
本発明は、吐水装置に関する。
【背景技術】
【０００２】
特許文献１には、浴室でシャワーを使用する際に、視力の弱い人や洗髪中の人がうっかり冷水を浴びてしまうのを回避する手段として、音声により給湯温度を制御できるようにした吐水装置が開示されている。
【先行技術文献】
【特許文献】
【０００３】
【特許文献１】特開平３−１９９７８３号公報
【発明の概要】
【発明が解決しようとする課題】
【０００４】
日中や夜間などの長時間にわたって浴室が使用されていない状態で、シャワーを利用しようとすると、利用開始直後は、給湯器とシャワーヘッドとの間の給水経路に溜まっていた冷水が吐出される。そのため、特許文献１の音声による給湯温度の制御手段を用いても、シャワーの使用を開始した直後に、冷水を浴びてしまうおそれがある。また、冬期であれば、冷水を浴びなくても、シャワーを吐出して暫くの間は浴室内で寒さを感じることになる。
【０００５】
本発明は、上記従来の実情に鑑みてなされたものであって、浴室の使用開始時における不快感を回避することを解決すべき課題としている。
【課題を解決するための手段】
【０００６】
本発明の吐水装置は、浴室内に設けられた吐水部と、吐水部に湯水を供給する給水路と、給水路内の水を排出するための排水部と、浴室の外部に配置され、浴室内を暖房するための指示信号を出力する指示部と、指示部からの指示信号が入力される受信部と、制御部とを有する。制御部は、前記受信部に入力された前記指示信号に基づいて、前記給水路に湯を供給しながら前記給水路内の水を前記排水部から排出させ、前記給水路内の湯温が暖房可能な温度に到達したときに前記排水部からの排水を停止するとともに前記吐水部からの吐出を開始させる。
【発明の効果】
【０００７】
浴室に入室する前に、指示部から指示信号を出力させておくと、制御部の制御により、給水路内の冷水が排水部から排出する。そして、給水路内の湯温が暖房可能な温度に到達すると、排水部からの排水が停止し、吐水部から湯が浴室内に吐出されるので、浴室内が暖められる。したがって、浴室の使用開始時に冷水や冷気に起因する不快感を覚えることがない。
【図面の簡単な説明】
【０００８】
【図１】実施例１の吐水装置の斜視図である。
【図２】吐水装置の構成をあらわしたブロック図である。
【図３】温度設定操作部の表示形態をあらわした正面図である。
【図４】制御部による浴室暖房の制御手順をあらわしたフローチャートである。
【発明を実施するための形態】
【０００９】
本発明の吐水装置は、前記制御部は、前記浴室内の暖房完了を報知する報知信号を出力するようになっていてもよい。この構成によれば、浴室の外部で浴室内の暖房完了を知ることができるので、最適なタイミングで浴室の利用を開始することができる。
【００１０】
本発明の吐水装置は、前記吐水部が、ミスト用吐水部と、前記ミスト用吐水部よりも大流量での吐水が可能な大流量吐水部とを有していてもよい。前記大流量吐水部が前記排水部として前記給水路内の水を排出し、前記ミスト用吐水部が湯を吐出するようになっていてもよい。給水路内の水を大流量吐水部から短時間で排出できるので、暖房完了に要する時間を短縮することができる。ミスト用吐水部は湯を霧状に吐出するので、浴室の床だけでなく浴室内の全体を効率的に温めることができる。
【００１１】
＜実施例１＞
以下、本発明を具体化した実施例１を図１〜図４を参照して説明する。尚、以下の説明において、前後の方向については、図１にあらわれる面を前面とする。上下の方向については、図１にあらわれる向きを、そのまま上方、下方と定義する。左右の方向については、図１にあらわれる向きを、そのまま左方、右方と定義する。
【００１２】
本実施例１の吐水装置Ａは、浴室Ｂ（図２を参照）内に設置されるものである。図１に示すように、吐水装置Ａは、上下方向に長い方形のハウジング１０を有する。ハウジング１０は浴室Ｂの壁面に取り付けられる。吐水装置Ａは、ヘッドシャワー用吐水部１１（請求項に記載の吐水部）と、ハンドシャワー用吐水部１２（請求項に記載の吐水部）と、ミスト用吐水部１３と（請求項に記載の吐水部）、カラン用吐水部１４（請求項に記載の吐水部、大流量吐水部、排水部）とを有する。
【００１３】
ヘッドシャワー用吐水部１１は、ハウジング１０の正面上端部に配置されている。ヘッドシャワー用吐水部１１は、他の３つの吐水部１２〜１４よりも大口径であり、三次元方向に向きを変えることができるようになっている。ヘッドシャワー用吐水部１１からは、下向きに湯水が吐出されるようになっている。本実施例１では、ヘッドシャワー用吐水部１１から湯水を吐出させる使用形態を、ヘッドシャワーモードという。
【００１４】
ハンドシャワー用吐水部１２は、ハウジング１０の外側面から延びた可撓性を有するシャワーホース１５と、シャワーホース１５の先端部に取り付けたシャワーヘッド１６とを備えている。本実施例１では、ハンドシャワー用吐水部１２のシャワーヘッド１６から湯水を吐出させる使用形態を、ハンドシャワーモードという。
【００１５】
ミスト用吐水部１３は、複数のノズル１７を備えて構成されている。複数のノズル１７は、ハウジング１０の正面における左右両側縁部に沿って上下方向に並ぶように配置されている。各ノズル１７からは、ミストが霧状に放出されるようになっている。本実施例１では、ミスト用吐水部１３から湯水を吐出させる使用形態を、ミストモードという。
【００１６】
カラン用吐水部１４は、ハウジング１０の下端面に取り付けられている。カラン用吐水部１４は、水平に延びて水平に旋回可能なアーム部１８を有し、アーム部１８の先端部には、下向きに湯水を層流状に吐出する吐出口１９が設けられている。本実施例１では、カラン用吐水部１４から湯を吐出させる使用形態を、カランモードという。カラン用吐水部１４から吐出可能な最大吐出流量は、４つの吐水部１１〜１４のうちで最も多く、したがってミスト用吐水部１３の最大吐出流量よりも多い。
【００１７】
吐水装置Ａは、ヘッドシャワー用ハンドル２１と、ハンドシャワー用ハンドル２２と、ミスト用ハンドル２３と、カラン用ハンドル２４とを有する。これら４つのハンドル２１〜２４は、正面形状が円形の円柱形をなし、ハウジング１０の正面における左右方向中央部において上下に並ぶように配置されている。ヘッドシャワー用ハンドル２１は一番上に配置され、その下にハンドシャワー用ハンドル２２が配置され、その下にミスト用ハンドル２３が配置され、一番下にカラン用ハンドル２４が配置されている。各ハンドル２１〜２４は、使用する吐水部１１〜１４を選択するためのモード選択操作と、対応する吐水部１１〜１４からの吐出量を変えるための流量変更操作を行うためのものである。
【００１８】
各ハンドル２１〜２４の正面にはタッチスイッチ２５が設けられている。各タッチスイッチ２５は、例えばリング状のＬＥＤからなる発光部２６を備えている。４つのタッチスイッチ２５のうち使用したい吐水部１１〜１４のタッチスイッチ２５に指を触れると、指が触れたタッチスイッチ２５がＯＮ状態となり、指が触れたタッチスイッチ２５の発光部２６が点灯する。指が触れたタッチスイッチ２５と対応する吐水部１１〜１４は、使用対象として選択される。ＯＮ状態のタッチスイッチ２５に指が触れると、指が触れたタッチスイッチ２５はＯＮ状態からＯＦＦ状態に切り替わり、点灯していた発光部２６が消灯する。ＯＦＦ状態となったタッチスイッチ２５と対応する吐水部１１〜１４は、使用対象から外れる。
【００１９】
いずれかのタッチスイッチ２５がＯＮ状態であるときに、別のタッチスイッチ２５に新たに触れると、ＯＮ状態であったタッチスイッチ２５がＯＦＦ状態に切り替わると同時に、新たに触れたタッチスイッチ２５がＯＦＦ状態からＯＮ状態に切り替わる。したがって、４つのタッチスイッチ２５のうち吐水可能なＯＮ状態になるのは、いずれか１つのタッチスイッチ２５だけであり、使用可能な状態になるのは４つの吐水部１１〜１４のうちいずれか１つの吐水部１１〜１４だけである。
【００２０】
各ハンドル２１〜２４は、時計回り方向と反時計回り方向のいずれにも、回転させることができるようになっている。各ハンドル２１〜２４の回転角度は、角度センサ２８（図２参照）により個別に検出されるようになっている。ＯＮ状態となっている吐水部１１〜１４と対応するハンドル２１〜２４を時計回り方向へ回転させると、その吐水部１１〜１４から吐出される湯の流量（給湯量）がハンドル２１〜２４の回転角度に比例して増大する。吐水部１１〜１４から湯が吐出している状態で、ハンドル２１〜２４を反時計回り方向へ回転させると、その吐水部１１〜１４から吐出される湯の流量（給湯量）がハンドル２１〜２４の回転角度に比例して減少するようになっている。ハンドル２１〜２４が所定角度まで回転されると、吐水部１１〜１４からの吐水が停止するようになっている。
【００２１】
ハウジング１０の正面には、温度設定操作部２９が設けられている。温度設定操作部２９は、液晶パネル等からなり、ヘッドシャワー用吐水部１１よりも下方であり、且つミスト用吐水部１３の上端及びヘッドシャワー用ハンドル２１よりも上方の位置に配置されている。図３に示すように、温度設定操作部２９には、「ヘッドシャワー」、「ハンドシャワー」、「ミスト」、「カラン」の各文字３０が上から下へ順に並んで表示される。いずれかの文字３０を指で押すと、押された文字３０と対応する吐水部１１〜１４が温度調節の対象として選択される。図２に示すように、吐水部１１〜１４を選択した旨の情報は、温度設定信号３１として出力される。
【００２２】
温度設定操作部２９には、各吐水部１１〜１４の設定温度３２が各吐水部１１から１４の右横に並んで表示されるとともに、「上向き三角形」の図形３３と「下向き三角形」の図形３４が表示されるようになっている。いずれかの吐水部１１〜１４を選択した状態において、「上向き三角形」の図形３３を指で押すと、選択した吐水部１１〜１４の設定温度３２が上昇する。「下向き三角形」の図形３４を指で押すと、選択した吐水部１１〜１４の設定温度３２が下降する。設定した温度の情報（設定温度情報）は、吐水部１１〜１４の選択情報とともに、温度設定信号３１として出力される。
【００２３】
温度設定操作部２９には、「終了」の文字３５が表示されるようになっている。「終了」の文字３５を指で押すと、温度設定の操作が終了した旨の情報が、吐水部１１〜１４の選択情報及び設定温度情報とともに、温度設定信号３１として出力される。「終了」の文字３５を指で押した後も、「ヘッドシャワー」、「ハンドシャワー」、「ミスト」、「カラン」のうちいずれかの文字３０を指で押せば、温度調節の操作が可能な状態となる。
【００２４】
図２に示すように、吐水装置Ａは、４つの吐水部１１〜１４に湯水を供給するための給水路３６を有している。給水路３６は、１本（１系統）の共用流路３７と、共用流路３７の下流端に分岐状（並列状）に接続された４本（４系統）の分岐路４１，４２，４３，４４とを有している。ヘッドシャワー用分岐路４１の下流端にはヘッドシャワー用吐水部１１が接続されている。ハンドシャワー用分岐路４２の下流端にはハンドシャワー用吐水部１２が接続されている。ミスト用分岐路４３の下流端にはミスト用吐水部１３が接続されている。カラン用分岐路４４の下流端にはカラン用吐水部１４が接続されている。４本の分岐路４１〜４４のうちカラン用分岐路４４は、ハウジング１０内における最も低い領域に配索され、給水路３６内の残留冷水をカラン用吐水部１４から排出するための排水路として機能する。
【００２５】
吐水装置Ａは混合部３８を有する。混合部３８は、共用流路３７の上流端に設けられている。混合部３８には、給水源３９の下流端と給湯源４０の下流端とが接続されている。混合部３８は、共用流路３７を開閉するための開閉弁機構（図示省略）と、開弁時における流量を調節する流量調節機構（図示省略）と、供給された水と湯の混合比を調節する温度調節機構（図示省略）とを備えている。
【００２６】
吐水装置Ａは給水温度センサ４５を有する。給水温度センサ４５は、共用流路３７の途中（混合部３８より下流側であり、且つ４本の分岐路４１〜４４の上流端よりも上流側の位置）に設けられ、共用流路３７を流れる湯水の温度を検出する。吐水装置Ａは、４つの電磁開閉弁４６を有する。４つの電磁開閉弁４６は、４本の分岐路４１〜４４の途中に個別に設けられている。各電磁開閉弁４６は、各分岐路４１〜４４における湯水の流動を許容する開弁状態（給水可能状態）と、各分岐路４１〜４４における湯水の流動を停止する閉弁状態（止水状態）との間で切り替わる。
【００２７】
吐水装置Ａは、排水温度センサ４７を有する。排水温度センサ４７は、４本の分岐路４１〜４４のうち最も低い領域に配管されたカラン用分岐路４４（排水路）のみに設けられている。排水温度センサ４７は、カラン用吐水部１４から排出される湯水の温度を検出し、排水温度検出信号４８を出力する。吐水装置Ａは、浴室温度センサ４９を有する。浴室温度センサ４９は、浴室Ｂ内に配置されており、浴室Ｂ内の雰囲気温度を検出し、検出信号を出力する。
【００２８】
吐水装置Ａは、制御部５０を有する。制御部５０は、浴室Ｂ内（例えば、ハウジング１０の内部）に配置されている。制御部５０は、選択された吐水部１１〜１４から設定した温度の湯水を設定流量で吐出させる制御機能を有する。この制御を実行するため、図２に示すように、制御部５０には、４つのタッチスイッチ２５からのＯＮ・ＯＦＦ信号と、４つの角度センサ２８からの角度検出信号と、温度設定操作部２９からの温度設定信号３１と、給水温度センサ４５からの給水温度検出信号が入力されるようになっている。これらの信号に基づき、制御部５０は、混合部３８の開閉弁機構と流量調節機構と温度調節機構を電気的に制御し、４つの電磁開閉弁４６の開閉動作を電気的に制御する。
【００２９】
制御部５０は、吐水装置Ａの使用を開始するのに先立ち、浴室Ｂ内の冷気に身体を晒したり、吐水部１１〜１４から吐出された冷水を浴びたりすることに起因する不快感を回避するための機能も備えている。具体的には、混合部３８から湯を給水路３６内に供給しながら給水路３６内の冷水を排出するとともに、浴室Ｂ内に湯を散布することにより、浴室Ｂ内を暖房する。暖房の制御を実行するため、制御部５０には、排水温度センサ４７からの排水温度検出信号４８と、指示部５１から出力されて受信部５２を経由した指示信号５３が入力されるようになっている。
【００３０】
指示部５１は、浴室Ｂの外部に設置され、又は浴室Ｂの外部において移動可能な状態で設けられるものである。指示部５１の一例としては、人の音声を検出するマイクと、検出した言葉の意味を認識する言語認識部と、認識した言葉を指示信号５３として出力する信号出力部とを有する音声言語認識装置がある。音声以外による指示部５１の例としては、液晶画面を有するリモコン装置を操作したり、スマートホンにダウンロードしたアプリを操作したりする方法がある。指示部５１からの指示信号５３を受ける受信部５２は、浴室Ｂ内（例えば、ハウジング１０の内部）に配置されている。受信部５２に入力された指示信号５３は、制御部５０に入力される。
【００３１】
制御部５０は、浴室Ｂ内の暖房が完了したときに、暖房が完了したことを報知する機能を備えている。この報知機能を実行するために、制御部５０には、報知部５４に向けて報知信号５５が出力されるようになっている。報知部５４の具体例としては、音声言語認識装置やリモコン装置やスマートホンに画面表示させたり、音声言語認識装置やリモコン装置やスマートホンから音声を出力させたり、光を点灯又は点滅させたりする方法などが考えられる。
【００３２】
次に、吐水装置Ａの使用形態について説明する。まず、各吐水部１１〜１４から吐出させる湯水の温度を設定する。設定の際には、温度設定操作部２９を操作することにより、使用したい吐水部１１〜１４を選択し、選択した吐水部１１〜１４から吐出させたい湯水の温度を設定する。各吐水部１１〜１４について、順次、温度を設定していく。設定が完了したら、「終了」の文字３５を押す。設定した温度の情報は、制御部５０の記憶部（図示省略）で記憶される。
【００３３】
浴室Ｂ内を使用する前に事前に暖房するための制御について、図４に示すフローチャートを参照して説明する。指示部５１からの指示信号５３が制御部５０に入力されると（ステップＳ１０１）、カラン分岐路４４以外の分岐路４１〜４３の電磁開閉弁４６を閉弁状態にしたままで、カラン用分岐路４４（排水路）の電磁開閉弁４６を開弁し（ステップＳ１０２）、混合部３８において湯の供給を開始させる（ステップＳ１０３）。この制御により、給水路３６内に残留している冷水が、給水路３６の下流側からカラン用分岐路４４を通ってカラン用吐水部１４（排水部）から排出されるとともに、給水路３６の上流側に湯が充填されていく。
【００３４】
カラン用吐水部１４から排出される水の温度は、排水温度センサ４７によりに検出される。制御部５０は、排水温度センサ４７からの排水温度検出信号４８に基づき、残留水の排出が完了したか否かを判断する。給水路３６内の冷水が全て排出されると、カラン用吐水部１４からは湯が排出されるようになる（ステップＳ１０４）。カラン用吐水部１４から湯が排出される状態になったことは、排水温度センサ４７からの排水温度検出信号４８によって検知される。
【００３５】
カラン用吐水部１４から湯が排出される状態になると、ミスト用分岐路４３の電磁開閉弁４６が開弁し（ステップＳ１０５）、ミスト用吐水部１３からミスト状の湯水が吐出される。吐出の初期は、ミスト用分岐路４３内に残留している冷水が吐出されるが、ミスト用分岐路４３の長さは比較的短いので、残量冷水が吐出される時間は短時間である。残留冷水の吐出が終わると、直ぐに、温度の高いミストがミスト用吐水部１３から浴室Ｂ内に散布される。
【００３６】
ミスト用分岐路４３の電磁開閉弁４６が開弁すると、カラン用分岐路４４の電磁開閉弁４６が開弁状態から閉弁状態に切り替わり（ステップＳ１０６）、カラン用吐水部１４からの排水が停止する。ミスト用吐水部１３からミストが吐出され続けると、浴室Ｂ内の雰囲気温度が次第に上昇していく。浴室Ｂ内の温度は、浴室温度センサ４９により検出される。浴室Ｂ内の温度が、利用者に不快感を与えない程度に上昇すると（ステップＳ１０７）、制御部５０による暖房制御が終了する。
【００３７】
暖房制御が終了すると、制御部５０は暖房完了を知らせるための報知信号５５を出力する。報知信号５５が入力された報知部５４は、暖房が完了したことを音声や文字表示や光の点灯等によって使用者に知らせる。浴室Ｂの外で待機している利用者は、報知部５４からの報知情報により暖房完了をリアルタイムに知ることができるので、無駄な待機時間を費やすことなく浴室Ｂの利用を開始することができる。利用者が浴室Ｂに入室すると、浴室Ｂ内は既に適温に温められているので、利用者は冷気による不快感を覚えることはない。
【００３８】
次に、制御部５０による吐水部１１〜１４からの吐水制御について説明する。使用する吐水部１１〜１４のタッチスイッチ２５が押されると、そのタッチスイッチ２５からＯＮ・ＯＦＦ信号が制御部５０に入力される。制御部５０は、分岐路４１〜４４に設けられている４つの電磁開閉弁４６のうち選択した吐水部１１〜１４に接続されている電磁開閉弁４６のみを開弁し、他の３つの電磁開閉弁４６を閉弁状態とする。
【００３９】
この後、選択した吐水部１１〜１４のハンドル２１〜２４を回すと、角度センサ２８からの角度検出信号が制御部５０に入力される。角度検出信号が入力されると、制御部５０は、ハンドル２１〜２４の回転角度に比例する流量を演算して設定するとともに、給水温度センサ４５からの検出信号と、選択した吐水部１１〜１４の設定温度の記憶情報に基づき、混合部３８の開閉弁機構と流量調節機構と温度調節機構に制御信号を送る。これにより、共用流路３７が開弁し、選択した吐水部１１〜１４の設定温度と同じ温度の湯が、ハンドル２１〜２４の回転角度に応じた流量で吐水部１１〜１４から吐出される。
【００４０】
吐出中にハンドル２１〜２４を時計回り方向へ回転させると、湯の吐出量が増し、ハンドル２１〜２４を反時計回り方向へ回転させると、湯の吐出量が少なくなる。尚、ハンドル２１〜２４の回転角度は、タッチスイッチ２５をＯＮ状態にした時点で、そのときのハンドル２１〜２４の回転位置が原点（止水位置）として設定される。この原点位置からハンドル２１〜２４を時計回り方向へ回転させると、原点からの回転角度に比例して吐水量が増大する。ハンドル２１〜２４を原点位置まで戻すと、止水状態となる。
【００４１】
本実施例１の吐水装置Ａは、浴室Ｂ内に設けられた吐水部１１〜１４を有する。吐水部１１〜１４は、ミスト用吐水部１３を含む。吐水装置Ａは、吐水部１１〜１４に湯水を供給する給水路３６と、給水路３６内の水を排出するための排水部（カラン用吐水部１４）とを有する。吐水装置Ａは、指示部５１と、受信部５２とを有する。指示部５１は、浴室Ｂの外部に配置され、浴室Ｂ内を暖房するための指示信号５３を出力する。受信部５２には、指示部５１からの指示信号５３が入力されるようになっている。
【００４２】
吐水装置Ａは、制御部５０を備えている。制御部５０は、受信部５２に入力された指示信号５３に基づいて、給水路３６に湯を供給しながら給水路３６内に残留している水をカラン用吐水部１４から排出させる。制御部５０は、給水路３６内の水温が暖房可能な温度に到達したときに、カラン用吐水部１４からの排水を停止するとともに、ミスト用吐水部１３からの吐出を開始させる。
【００４３】
浴室Ｂに入室する前に、指示部５１から指示信号５３を出力させておくと、制御部５０の制御により、給水路３６内の冷水がカラン用吐水部１４から排出する。そして、給水路３６内の水温が暖房可能な温度に到達すると、カラン用吐水部１４からの排水が停止し、ミスト用吐水部１３から湯が浴室Ｂ内に吐出されるので、浴室Ｂ内が暖められる。したがって、浴室Ｂの使用開始時に冷水や冷気に起因する不快感を覚えることがない。
【００４４】
制御部５０は、浴室Ｂ内の暖房完了を報知する報知信号５５を出力するようになっているので、浴室Ｂの外部で待機している利用者は、浴室Ｂの外部に居る状態のままで浴室Ｂ内の暖房が完了したことを知ることができる。したがって、利用者は、暖房が完了したか否かを浴室Ｂまで確認をしに行く必要がなく、最適なタイミングで浴室Ｂの利用を開始することができる。
【００４５】
吐水装置Ａは、ミスト用吐水部１３と、前記ミスト用吐水部１３よりも大流量での吐水が可能なカラン用吐水部１４とを含む４つの吐水部１１〜１４を有している。カラン用吐水部１４は、排水部としての機能を発揮し、給水路３６内の残留水を排出する。ミスト用吐水部１３は、暖房用の湯を吐出するようになっている。給水路３６内の水をカラン用吐水部１４から大流量で短時間で排出できるので、暖房完了に要する時間を短縮することができる。ミスト用吐水部１３は湯を霧状に吐出するので、浴室Ｂの床だけでなく浴室Ｂ内の全体を効率的に温めることができる。
【００４６】
＜他の実施例＞
本発明は上記記述及び図面によって説明した実施例に限定されるものではなく、例えば次のような実施例も本発明の技術的範囲に含まれる。
（１）上記実施例では、複数の吐水部の一部が排水部としての機能を兼ね備えているが、排水部は、吐水部とは別の専用手段として設けてもよい。
（２）上記実施例では、冷水を排出するための排水部と、暖房用の湯を吐出するための吐水部とを別々に設けたが、１つの共用機能部から、冷水の排出と暖房用の湯の吐出を行うようにしてもよい。
（３）上記実施例では、制御部が浴室内の暖房完了を報知するようになっているが、制御部は、暖房完了を報知する機能を備えていなくてもよい。
（４）上記実施例では、浴室内の暖房完了を浴室温度センサによって検出するようにしたが、浴室内の暖房完了は、吐水部からの湯の吐出時間や吐出部からの総吐出量等に基づいて検出してもよい。
（５）上記実施例では、ミスト用吐水部から暖房用の湯を吐出するようにしたが、暖房用の湯は、ミスト用吐水部以外の吐水部から吐出してもよい。
（６）上記実施例では、給水路内の水をカラン用吐水部から排出するようにしたが、給水路内の水の排出は、カラン用吐水部以外の吐水部（ヘッドシャワー用吐水部又はハンドシャワー用吐水部）から行うようにしてもよい。
（７）上記実施例では、複数の吐水部がミスト用吐水部を含むが、本発明は、ミスト用吐水部を有しない吐水装置にも適用できる。
（８）上記実施例では、４種類の吐水部を有するが、吐水部の種類数は、３つ以下でもよく、５つ以上でもよい。
（９）上記実施例では、吐水部から湯が吐出している給湯状態では、複数の吐水部のうちいずれか１つの吐水部だけから湯が吐出されるようにしたが、複数の吐水部から湯が同時に吐出するようにしてもよい。
（１０）上記実施例では、混合部が、水と湯の混合比（給湯温度）を調節する機構だけでなく、吐水部への給湯流量を調節する機構も兼ね備えているが、混合部は、吐水部への給湯流量調節機構を有しない形態であってもよい。この場合、共用流路に１つの給湯流量調節機構を設けてもよく、各吐水部用に分かれた複数の分岐流路に、複数の給湯流量調節機構を個別に設けてもよい。
【符号の説明】
【００４７】
Ａ…吐水装置
Ｂ…浴室
１１…ヘッドシャワー用吐水部（吐水部）
１２…ハンドシャワー用吐水部（吐水部）
１３…ミスト用吐水部（吐水部）
１４…カラン用吐水部（吐水部、排水部、大流量吐水部）
３６…給水路
５０…制御部
５１…指示部
５２…受信部
５３…指示信号
５５…報知信号
【図１】
2020143464.tif 000003
【図２】
2020143464.tif 000004
【図３】
2020143464.tif 000005
【図４】
2020143464.tif 000006